(57)【要約】      （修正有）【課題】裁断や糸のほつれによる飾り体チェーンの緩みや外れを防止し、且つ、美麗な外観に仕上げられた飾り体チェーン付きの装飾用細幅織物、及びこの装飾用細幅織物を製造するためのニードル織機、チェーン支持装置、及びこの装飾用細幅織物を製造する製造方法を提供する。【解決手段】ニードル織機を用いて、経糸１８及びこれと並行に配置されたボールチェーン１５に対して緯糸１９を絡めることにより、これらを一体に織り込むことにより織りテープ１０を製造する。ニードル織機には、綜絖枠の上下動に合わせてボールチェーン１５を上下動させるチェーン支持装置が設けられている。チェーン支持装置によって上下動されるボールチェーン１５の移動角θ１は、開口の開度θ２よりも大きい。【選択図】図１
2012057269.tif 000002
【特許請求の範囲】
【請求項１】
複数の飾り体が所定間隔をおいて連結具によって連結されてなる飾り体チェーンを複数の経糸とともにニードル織機を用いて緯糸と絡ませることにより、飾り体チェーン、経糸、及び緯糸それぞれが一体に織り上げられた飾り体チェーン付きの装飾用細幅織物。
【請求項２】
上記飾り体チェーンは、複数のボールが所定間隔をおいて連結具によって連結されたボールチェーンである請求項１に記載の飾り体チェーン付きの装飾用細幅織物。
【請求項３】
複数の経糸からなる経糸群を支持するとともに上下動することにより織前位置を起点として経糸群を上側経糸群と下側経糸群とに交互に分ける経糸分離器と、
複数の飾り体が所定間隔をおいて連結具によって連結されてなる飾り体チェーンを支持するとともに上記経糸分離器の上下動に合わせて上方位置と下方位置との間で上下動することにより織前位置を起点として上記飾り体チェーンを上下に往復動させるチェーン支持装置と、
上記経糸分離器及び上記チェーン支持装置それぞれの上下動によって織前位置を起点として上下方向に開けられた開口に緯糸を通すニードルと、を具備し、
上記経糸及び上記飾り体チェーンに上記緯糸を絡めることにより上記経糸、上記飾り体チェーン及び上記緯糸が一体となった装飾用細幅織物を織り上げるニードル織機。
【請求項４】
上記チェーン支持装置が上下動したときに織前位置を基準として上記飾り体チェーンが上下方向に開く第１開度は、織前位置を基準として上側経糸群と下側経糸群との間に形成される開口の第２開度よりも大きい請求項３に記載のニードル織機。
【請求項５】
上記第１開度は、上記チェーン支持装置が上記上方位置にあるときに織前位置から上記経糸分離器側へ数えて一つ目の第１飾り体が上記上側経糸群よりも上方に配置された第１位置から、上記チェーン支持装置が上記下方位置にあるときに上記第１飾り体が上記下側経糸群よりも下方に配置された第２位置までの開度である請求項４に記載のニードル織機。
【請求項６】
上記チェーン支持装置は、上記経糸群の両サイド又はいずれか一方のサイドで上記飾り板チェーンを支持すると共に上下動するものである請求項４又は５に記載のニードル織機。
【請求項７】
複数の経糸からなる経糸群を支持するとともに上下動することにより織前位置を起点として経糸群を上側経糸群と下側経糸群とに交互に分ける経糸分離器と、上記経糸分離器の上下動によって織前位置を起点として上下方向に開けられた開口に緯糸を通すことにより上記経糸に上記緯糸を絡めるニードルと、を具備するニードル織機に用いられ、
複数の飾り体が所定間隔をおいて連結具によって連結されてなる飾り体チェーンを支持するとともに上記経糸分離器の上下動に合わせて上方位置と下方位置との間で上下動することにより織前位置を起点として上記飾り体チェーンを上下に往復動させるチェーン支持装置。
【請求項８】
複数の経糸からなる経糸群を支持するとともに上下動することにより織前位置を起点として経糸群を上側経糸群と下側経糸群とに交互に分ける経糸分離器と、
複数の飾り体が所定間隔をおいて連結具によって連結されてなる飾り体チェーンを支持するとともに上記経糸分離器の上下動に合わせて上方位置と下方位置との間で上下動することにより織前位置を起点として上記飾り体チェーンを上下に往復動させるチェーン支持装置と、
上記経糸分離器及び上記チェーン支持装置それぞれの上下動によって織前位置を起点として上下方向に開けられた開口に緯糸を通すニードルと、を具備するニードル織機を用いて装飾用細幅織物を製造する製造方法であって、
上記経糸分離器によって上記経糸群を上記上側経糸群と上記下側経糸群とに分けるとともに上記チェーン支持装置によって上記飾り体チェーンを上記上側経糸群又は上記下側経糸群よりも外側へ移動させたうえで、上記上側経糸群と上記下側経糸群との間に形成された開口に上記ニードルで緯糸を通すことによりこの緯糸を上記経糸及び上記飾り体チェーンに絡める一連の動作を上記経糸分離器及び上記チェーン支持装置の上運動及び下運動毎に繰り返すことによって、上記経糸、上記飾り体チェーンおよび上記緯糸を一体に織り上げて装飾用細幅織物を製造する製造方法。
【発明の詳細な説明】
【技術分野】
【０００１】
本発明は、上下に分けられた経糸間にニードルで緯糸を通すことにより織物を織るニードル織機、及びニードル織機によって織られた装飾用細幅織物に関し、特に、ボールチェーンのような飾り体チェーンが取り付けられたテープ状の装飾用細幅織物に関する。
【背景技術】
【０００２】
従来より、装飾効果を高めるため、衣服や帽子、鞄、靴、カーテン、ベルトなどに逢着されるテープ状の細幅織物が広く知られている（特許文献１乃至５参照）。このテープ状の細幅織物は、「織りテープ」や「織地テープ」、「織ネーム」あるいは「飾りテープ」とも称されている。
【０００３】
この種の細幅織物の一例として、図９に示されるボールチェン付き織りテープ（以下「織りテープ」と略す。）１００，１０１が知られている。ここで、図９は、従来の織りテープ１００，１０１の部分拡大図であり、（Ａ）には織りテープ１００の構成が示されており、（Ｂ）には織りテープ１０１の構成が示されている。図９（Ａ）に示されるように、織りテープ１００は、テープ本体１０３の一方の端部にボールチェーン１０５がテグス（固定糸）１０４によって縫い付けられている。具体的には、ボールチェーン１０５のボール１０６同士を連結するリンク１０７にテグス１０４を巻き付けるようにしてかがり縫いにより、ボールチェーン１０５がテープ本体１０３に縫い付けられている。また、図９（Ｂ）に示されるように、織りテープ１０１は、テープ本体１０３の一方端に丸紐状に編み上げられた耳部（副組織）１１０が設けられている。耳部１１０は、テープ本体１０３に織り込まれている。この耳部１１０にボールチェーン１０５がテグス１０４によって縫い付けられている。
【先行技術文献】
【特許文献】
【０００４】
【特許文献１】実公昭５４−４０１６８号公報
【特許文献２】特開平８−１９９４０２号公報
【特許文献３】特開平１１−１０７００８号公報
【特許文献４】特開２００１−３０３３８６号公報
【特許文献５】特開２００２−２７４５４７号公報
【発明の概要】
【発明が解決しようとする課題】
【０００５】
しかしながら、従来の織りテープ１０１は、図１０（Ａ）に示されるように、織りテープ１０１が一点鎖線１１４に沿って裁断された場合、ボールチェーン１０５に矢印１１３方向の力が加えられると、テグス１０４が簡単にほつれてしまい、ボールチェーン１０５が外れてしまうという問題がある。このため、従来は、図１０（Ｂ）に示されるように、裁断箇所に近いリンク１０７を通る位置にボールチェーン１０５とテグス１０４とテープ本体１０３と耳部１１０とを縫い止めたうえで、織りテープ１０１を一点鎖線１１４に沿って裁断していた。しかし、このような裁断作業は上述した縫い止め工程が必要なため、作業効率が悪い。また、縫い目（縫い止め跡）１１１が裁断位置よりもボール１０６一つ分だけ内側に入り込んだ部分に付けられるため、縫い目１１１が目立ってしまい、織りテープ１０１の装飾性が損なわれる。このような問題は、従来の織りテープ１００にも同様に生じ得る。
【０００６】
そこで、本発明は、上記事情に鑑みてなされたものであり、その目的は、裁断や糸のほつれによる飾り体チェーンの緩みや外れを防止し、且つ、美麗な外観に仕上げられた飾り体チェーン付きの装飾用細幅織物、及びこの装飾用細幅織物を製造するためのニードル織機、チェーン支持装置、及びこの装飾用細幅織物を製造する製造方法を提供することにある。
【課題を解決するための手段】
【０００７】
(1)  上記課題を解決するため、本発明は、複数の飾り体が所定間隔をおいて連結具によって連結されてなる飾り体チェーンを複数の経糸とともにニードル織機を用いて緯糸と絡ませることにより、飾り体チェーン、経糸、及び緯糸それぞれが一体に織り上げられた飾り体チェーン付きの装飾用細幅織物として構成されている。
【０００８】
このように構成されているため、装飾用細幅織物の長手方向の端部がほつれにくく、飾り体チェーンが外れにくい。また、装飾用細幅織物を裁断しても飾り体チェーンが緯糸によって装飾用細幅織物に強固に固定された状態が維持されるため、裁断に起因する飾り体チェーンの緩みや外れが防止される。また、装飾用細幅織物を構成する緯糸で飾り体チェーンが装飾用細幅織物に取り付けられているため、従来のようにほつれ防止用の縫い止めを施す必要がなく、縫い目が装飾用細幅織物に残らない。そのため、美麗な外観を実現できる。
【０００９】
(2)  上記飾り体チェーンは、複数のボールが所定間隔をおいて連結具によって連結されたボールチェーンであることが好ましい。
【００１０】
(3)  また、本発明は、経糸分離器と、チェーン支持装置と、ニードルと、を具備するニードル織機として捉えることができる。経糸分離器は、複数の経糸からなる経糸群を支持するとともに上下動することにより織前位置を起点として経糸群を上側経糸群と下側経糸群とに交互に分けるものである。チェーン支持装置は、複数の飾り体が所定間隔をおいて連結具によって連結されてなる飾り体チェーンを支持するとともに上記経糸分離器の上下動に合わせて上方位置と下方位置との間で上下動することにより織前位置を起点として上記飾り体チェーンを上下に往復動させる。ニードルは、上記経糸分離器及び上記チェーン支持装置それぞれの上下動によって織前位置を起点として上下方向に開けられた開口に緯糸を通す。このように構成されたニードル織機は、上記経糸及び上記飾り体チェーンに上記緯糸を絡めることにより上記経糸、上記飾り体チェーン及び上記緯糸が一体となった装飾用細幅織物を織り上げる。
【００１１】
このように構成されているため、ニードル織機において、飾り体チェーンは経糸と同じようにチェーン支持装置によって織前位置へ向けてスムーズに案内される。
【００１２】
(4)  上記ニードル織機において、上記チェーン支持装置が上下動したときに織前位置を基準として上記飾り体チェーンが上下方向に開く第１開度は、織前位置を基準として上側経糸群と下側経糸群との間に形成される開口の第２開度よりも大きい。
【００１３】
(5)  上記第１開度は、上記チェーン支持装置が上記上方位置にあるときに織前位置から上記経糸分離器側へ数えて一つ目の第１飾り体が上記上側経糸群よりも上方に配置された第１位置から、上記チェーン支持装置が上記下方位置にあるときに上記第１飾り体が上記下側経糸群よりも下方に配置された第２位置までの開度である。
【００１４】
(6)  上記チェーン支持装置は、上記経糸群の両サイド又はいずれか一方のサイドで上記飾り板チェーンを支持すると共に上下動するものである。
【００１５】
(7)  また、本発明は、上記ニードル織機に用いられるチェーン支持装置として捉えることができる。つまり、チェーン支持装置は、複数の経糸からなる経糸群を支持するとともに上下動することにより織前位置を起点として経糸群を上側経糸群と下側経糸群とに交互に分ける経糸分離器と、上記経糸分離器の上下動によって織前位置を起点として上下方向に開けられた開口に緯糸を通すことにより上記経糸に上記緯糸を絡めるニードルと、を具備するニードル織機に用いられる。チェーン支持装置は、複数の飾り体が所定間隔をおいて連結具によって連結されてなる飾り体チェーンを支持するとともに上記経糸分離器の上下動にあわせて上方位置と下方位置との間で上下動することにより織前位置を起点として上記飾り体チェーンを上下に往復動させる。
【００１６】
(8)  また、本発明は、上記ニードル織機を用いて装飾用細幅織物を製造する製造方法として捉えることができる。つまり、装飾用細幅織物を製造する製造方法は、複数の経糸からなる経糸群を支持するとともに上下動することにより織前位置を起点として経糸群を上側経糸群と下側経糸群とに交互に分ける経糸分離器と、複数の飾り体が所定間隔をおいて連結具によって連結されてなる飾り体チェーンを支持するとともに上記経糸分離器の上下動に合わせて上方位置と下方位置との間で上下動することにより織前位置を起点として上記飾り体チェーンを上下に往復動させるチェーン支持装置と、上記経糸分離器及び上記チェーン支持装置それぞれの上下動によって織前位置を起点として上下方向に開けられた開口に緯糸を通すニードルとを具備するニードル織機を用いる。
本発明の製造方法は、上記経糸分離器によって上記経糸群を上記上側経糸群と上記下側経糸群とに分けるとともに上記チェーン支持装置によって上記飾り体チェーンを上記上側経糸群又は上記下側経糸群よりも外側へ移動させたうえで、上記上側経糸群と上記下側経糸群との間に形成された開口に上記ニードルで緯糸を通すことによりこの緯糸を上記経糸及び上記飾り体チェーンに絡める。この一連の動作を上記経糸分離器及び上記チェーン支持装置の上運動及び下運動毎に繰り返すことによって、上記経糸、上記飾り体チェーンおよび上記緯糸を一体に織り上げて装飾用細幅織物を製造する。
【発明の効果】
【００１７】
本発明の装飾用細幅織物は、経糸及び飾り体チェーンに緯糸が絡んで、経糸、飾り体チェーン、及び緯糸が一体に織り上げられている。そのため、装飾用細幅織物の長手方向の端部における飾り体チェーンの固定部分が容易に緩まなくなるため、飾り体チェーン自体が外れ難くなる。また、装飾用細幅織物が裁断された場合でも、飾り体チェーンが緯糸によって装飾用細幅織物に強固に固定された状態が維持されるため、裁断に起因して飾り体チェーンが緩んだり外れたりしなくなる。また、装飾用細幅織物を構成する緯糸が飾り体チェーンを巻くようにして装飾用細幅織物と飾り体チェーンとを一体化させているため、従来のようにほつれ防止用の縫い止めを施す必要がなく、縫い目が細幅織物に残らない。そのため、美麗な外観を実現できる。
【００１８】
また、本発明のニードル織機にはチェーン支持装置が設けられているため、飾り体チェーンはチェーン支持装置によって経糸と同じように織前位置へスムーズに案内される。また、上記第１開度が、上記第２開度よりも大きいので、ニードルが開口へ緯糸を打ち込む際に、ニードルが飾り体に干渉しない。このため、ニードルは飾り体に邪魔されずに円滑に打ち込み動作を行うことができる。
【図面の簡単な説明】
【００１９】
【図１】図１は、本発明の第１実施形態に係る織りテープ１０の構成を示す模式図であり、（Ａ）には平面図が示されており、（Ｂ）には部分拡大図が示されている。
【図２】図２は、本発明の第１実施形態の変形例であるテープ１１の構成を示す模式図である。
【図３】図３は、本発明の第２実施形態に係るニードル織機５０の構成を模式的に示す外観斜視図である。
【図４】図４は、ニードル織機５０において仮想線で囲まれた部分の部分拡大図である。
【図５】図５は、ボールチェーン１５の移動角θ１を説明するための模式図である。
【図６】図６は、織りテープ１０が織り上げられる工程を説明するための模式図であり、（Ａ）には平面図が示されており、（Ｂ）には側面図が示されている。
【図７】図７は、織りテープ１０が織り上げられる工程を説明するための模式図であり、（Ａ）には平面図が示されており、（Ｂ）及び（Ｃ）には側面図が示されている。
【図８】図８は、織りテープ１０が織り上げられる工程を説明するための模式図であり、（Ａ）には平
【図９】図９は、従来の織りテープ１００，１０１を説明するための部分拡大図であり、（Ａ）には織りテープ１００の構成が示されており、（Ｂ）には織りテープ１０１の構成が示されている。
【図１０】図１０は、従来の織りテープ１０１の裁断状態を示す模式図である。
【発明を実施するための形態】
【００２０】
［第１実施形態］
以下、適宜図面を参照して本発明の第１実施形態に係る織りテープ１０（本発明の装飾用細幅織物の一例）について説明する。
【００２１】
図１に示されるように、織りテープ１０は、テープ本体１３とボールチェーン１５（本発明の飾り体チェーンの一例）とにより構成されている。
【００２２】
ボールチェーン１５は、複数のボール１６（本発明の飾り体の一例）と、複数のボール１６を等ピッチで連結するリンク１７（本発明の連結具の一例）とにより構成されている。ボールチェーン１５自体は公知のものであり、一般に、リンク１７として、金属ワイヤ、繊維紐、合成樹脂線などのコード状のものが用いられ、ボール１６として、金属製、合成樹脂製、木製などの球状のものが用いられている。なお、この実施形態では、飾り体の一例として球状のボール１６を使用したボールチェーン１５を例示するが、ボールチェーン１５に代えて、小豆状や円柱状、多面体状などの飾り体が複数個連結具で連結されたチェーンを適用してもよい。
【００２３】
織りテープ１０は、後述するニードル織機５０（図３参照）によって製造される。詳細は後述するが、経糸分離器６０に支持された状態で左右方向２１（織りテープ１０の幅方向）に複数の経糸１８が並べられた経糸群２４の側方にボールチェーン１５を経糸群２４の長手方向と同じ前後方向２３（図３においてニードル織機５０の奥行き方向）に沿うように支持し、経糸１８と同様にしてボールチェーン１５を織前位置５７へ送りこみつつ、ウエフトニードル（緯針）５２が打ち込んだ緯糸１９とボールチェーン１５及び経糸１８それぞれとを絡ませることにより、ボールチェーン１５、経糸１８、及び緯糸１９それぞれが一体に織り上げられた織りテープ１０が製造される。
【００２４】
ニードル織機５０によって織りテープ１０が製造されると、図１（Ｂ）に示されるように、織りテープ１０の一方の耳部にボールチェーン１５が緯糸１９によって固定される。本実施形態では、テープ本体１３の緯糸１９のピッチＬ１はボール１６の直径Ｄよりも十分に小さく、上記ピッチＬ１が約０．４６ｍｍに対して上記直径Ｄは２．５ｍｍである。また、上記ピッチＬ１は、ボール１６のピッチＬ２（本実施形態では３．２ｍｍ）よりも十分に小さい。そのため、ウエフトニードル５２によって打ち込まれた緯糸１９がボール１６に絡められると、その緯糸１９はボール１６の表面を滑ってリンク１７にたどり着き、リンク１７の周りに巻かれるようにして絡みつく。つまり、リンク１７に絡められた緯糸１９だけでなく、ボール１６に絡められた緯糸１９も結局はリンク１７に絡むため、図１（Ｂ）に示されるように、一つのリンク１７に複数本（本実施形態では７本）の緯糸１９が巻かれるようにして絡みついている。なお、上記ピッチＬ１、上記ピッチＬ２、上記直径Ｄの具体的サイズや、リンク１７に絡む緯糸の本数は単なる一例であって、本発明は上記サイズに限定されない。
【００２５】
このように、織りテープ１０は、ボールチェーン１５と経糸１８と緯糸１９とが一体となって織り上げられているため、テープ本体１３の緯糸１９によってボールチェーン１５が巻き込まれるようにしてテープ本体１３に固定される。このような織組織が採用されているため、織りテープ１０の長手方向の端部におけるボールチェーン１５の固定部分が容易に緩まなくなる。このため、ボールチェーン１５自体が織りテープ１０から外れ難くなる。また、複数の緯糸１９がリンク１７に絡みついているため、リンク１７に絡んでいる全ての緯糸１９が切断されない限り、ボールチェーン１５が緩むことはなく、もちろん、ボールチェーン１５が外れ落ちることもない。また、図１（Ｂ）に示されるように、リンク１７に絡んだ複数の緯糸１９によって隣り合うボール１６の移動が規制されるため、織りテープ１０においてボールチェーン１５のボール１６の等ピッチ配列が維持され、審美効果が高められる。
【００２６】
また、適当な長さの織りテープ１０を得るために織りテープ１０が裁断された場合でも、緯糸１９は簡単には緩まないため、ボールチェーン１５が緯糸１９によってテープ本体１３に強固に固定された状態が維持される。これにより裁断に起因するボールチェーン１５の緩みや外れが防止される。また、テープ本体１３を構成する緯糸１９がボールチェーン１５を巻くようにしてテープ本体１３とボールチェーン１５とを一体化させているため、従来のようにほつれ防止用の縫い止めを施す必要がなく、縫い目が織りテープ１０に残らない。そのため、美麗な外観を実現できる。
【００２７】
なお、上述した第１実施形態では、一方端のみにボールチェーン１５が取り付けられた織りテープ１０について説明したが、例えば、第１実施形態の変形例として、図２に示されるように、テープ本体１３の左右方向２１の両端それぞれにボールチェーン１５が取り付けられた織りテープ１１も本発明の一例として考えられる。また、図示して説明しないが、テープ本体１３の左右方向２１の端部ではなく、端部よりも内側にボールチェーン１５が経糸１８と並んだ状態で織り込まれたものであってもよい。
【００２８】
［第２実施形態］
以下、適宜図面を参照して本発明の第２実施形態に係るニードル織機５０（本発明のニードル織機の一例）について説明する。
【００２９】
ニードル織機５０は、上述の第１実施形態における織りテープ１０を製造するものである。一般的なニードル織機は、経糸と緯糸とを互い違いに織り込むことにより織物を形成するものであるが、本実施形態に係るニードル織機５０は、経糸だけでなく、ボールチェーン１５を経糸と並行に織り込む機構を有する点に特徴がある。
【００３０】
図３及び図４に示されるように、ニードル織機５０は、主として、後方に配置された経糸分離器６０（本発明の経糸分離器の一例）と、弓状に形成されたウエフトニードル５２（本発明のニードルの一例）と、ボールチェーン１５を支持するためのチェーン支持装置７０（本発明のチェーン支持装置の一例）とにより構成されている。
【００３１】
経糸分離器６０は、前後方向２３に沿って縦置き状に並んで配置された複数の綜絖枠６１を有する。綜絖枠６１は、四辺を有する長方形状の枠体である。綜絖枠６１は、上下方向２２へ移動可能に支持されている。各綜絖枠６１は、図示しない引き上げ機構によって織組織に応じたタイミングで上下動される。綜絖枠６１には、複数の綜絖（不図示）が左右方向２１に沿って等間隔に並べられた状態で支持されている。各綜絖には前後方向２３に貫通する孔が形成されている。経糸１８は、図示しないバネなどによってテンションが掛けられた状態で上記孔に挿通されている。経糸１８は後方から上記孔を通って手前側へ引き出されて、織りテープ１０の織前位置５７に達している。すなわち、各綜絖枠６１は、複数の経糸１８からなる経糸群２４を綜絖を介して支持している。各綜絖枠６１が上記引き上げ機構によって上下方向２１へ上下動されると、織前位置５７を起点として経糸群２４が上側の経糸群２４Ａと下側の経糸群２４Ｂとに交互に分離される。これにより、経糸群２４Ａと経糸群２４Ｂとの間に開口（杼口ともいう。）５４が形成される。なお、上側の経糸群２４Ａと下側の経糸群２４Ｂは上記引き上げ機構の上下動によってその位置が交互に入れ替わるが、本明細書においては、説明の便宜上、上側に位置する経糸群２４を経糸群２４Ａと称し、下側に位置する経糸群２４を経糸群２４Ｂと称する。
【００３２】
チェーン支持装置７０は、経糸分離器６０の手前側に設けられている。チェーン支持装置７０は、綜絖枠６１と同形状のフレーム７１と、チェーンヘルド７２とを有する。チェーンヘルド７２は、細幅長尺な金属板で形成されており、一端がフレーム７１の上側枠７１Ａに掛止され、他端が下側枠７１Ｂに掛止されている。チェーンヘルド７２は、ボールチェーン１５を上下方向２２に支持するための特殊な綜絖であり、その中央部には、前後方向２３に貫通するガイド孔７４を有するガイド部７３が設けられている。このガイド孔７４にボールチェーン１５が挿通されて上下方向２２に支持される。ガイド孔７４の周縁部には、スポンジやゴム、薄板状の合成樹脂シートなどの可撓性を有する可撓性部材７５（図４参照）が設けられている。したがって、ガイド孔７４をボールチェーン１５が通過する際にボール１６がガイド孔７４の周縁部に引っかかっても、周縁部の可撓性部材が手前方向に撓むことによって、引っかかりが解除される。
【００３３】
ボールチェーン１５は、経糸１８と同様に、図示しないバネなどによってテンションが掛けられた状態でガイド孔７４に挿通されている。ボールチェーン１５は、後方から手前側へ引き出されて、織りテープ１０の織前位置５７に達している。すなわち、ボールチェーン１５は、チェーンヘルド７２を介してチェーン支持装置７０によって支持されている。本実施形態では、ボールチェーン１５をテープ本体１３の左端部に取り付けるため、チェーンヘルド７２は、フレーム７１において、最も左側に位置する経糸の更に左側でボールチェーン１５を支持する位置に固定されている。
【００３４】
フレーム７１は、上下方向２２へ移動可能に支持されている。このフレーム７１は、上記引き上げ機構によって綜絖枠６１の引き上げタイミングに合わせて上下動される。具体的には、上側の経糸群２４Ａと下側の経糸群２４Ｂとを入れ替えるために綜絖枠６１を上下動させるタイミングと同じタイミングでフレーム７１を引き上げあるいは下げる。これにより、チェーンヘルド７２に支持されたボールチェーン１５が、織前位置５７を起点として、経糸群２４（２４Ａ，２４Ｂ）の上下動に合わせて上下方向２２へ往復動することになる。
【００３５】
本実施形態では、図５（Ａ）に示されるように、上記引き上げ機構によるチェーン支持装置７０の上下動によってボールチェーン１５が織前位置５７を基準として上下方向に往復動する移動角θ１（本発明の第１開度に相当）は、経糸群２４Ａと経糸群２４Ｂとの間に形成された織前位置５７を基準とする開口５４の開度θ２（本発明の第２開度に相当）おりも大きい。つまり、チェーン支持装置７０及び経糸分離器６０は、θ１＞θ２の条件を満たすように、それぞれの位置関係が調整されている。また、図５（Ａ）に示されるように、ボールチェーン１５の移動範囲内に開口５４が収まるように、チェーン支持装置７０及び経糸分離器６０それぞれの位置関係が調整されている。これは、経糸１８に対してボールチェーン１５の外径が大きいため、経糸群２４Ａ及び経糸群２４Ｂと同じ位置にボールチェーン１５を配置すると、ウエフトニードル５２の先端あるいは先端に挿通された緯糸１９がボール１６に干渉して、ボール１６又は緯糸１９が損傷するおそれがあるからである。
【００３６】
なお、ウエフトニードル５２とボール１６とが干渉しないようにするためには、ボールチェーン１５の移動角θ１は、以下の条件を満たせば十分である。つまり、図５（Ａ）に示されるように、チェーン支持装置７０が引き上げられたときに織前位置５７から後方（経糸分離器６０側）へ数えて一つ目のボール１６Ａ（本発明の第１飾り体に相当）が上側の経糸群２４Ａよりも上方の位置（第１位置）に配置されていれており、且つ、チェーン支持装置７０が下げられたときに上記ボール１６Ａが下側の経糸群２４Ｂよりも下方の位置（第２位置）に配置されていればよい。ボールチェーン１５にはテンションが掛けられているため、ボール１６Ａが上記第１位置及び上記第２位置に配置されていれば、それよりも後方のボール１６も経糸群２４Ａよりも上方、又は経糸群２４Ｂよりも後方に位置することになる。したがって、上記移動角θ１が上記第１位置から上記第２位置に至る角度を有していれば、ウエフトニードル５２はボールチェーン１５に干渉することなく、開口５４を円滑に往復動できる。
【００３７】
以下、図６乃至図８を参照して、ニードル織機５０によって織りテープ１０が製造される工程について説明する。ここで、図６乃至図８は、織前位置５７付近の機構の部分拡大図であり、各図の（Ａ）は平面図であり、各図の（Ｂ）は側面図である。
【００３８】
ニードル織機５０において、上記引き上げ機構によって経糸分離器６０が上下動されて、経糸群２４が経糸群２４Ａと経糸群２４Ｂとに分離される（図６（Ｂ）参照）。また、経糸分離器６０による上下動に連動して、上記引き上げ機構によってチェーン支持装置７０が下げられる。このとき、ボールチェーン１５は、下側に位置する経糸群２４Ｂよりも下側（下方の外側）まで移動される。その後、経糸群２４Ａと経糸群２４Ｂとの間に形成された開口５４に対してウエフトニードル５２が挿入される。つまり、ウエフトニードル５２が開口５４へ向けて打ち込まれて、緯糸１９が開口５４に通される（図６（Ａ）参照）。
【００３９】
ウエフトニードル５２の先端が反対側のラッチニードル（不図示）に到達すると、緯糸１９がラッチニードルに引っ掛けられ、その後、ウエフトニードル５２は引き戻される（図７（Ａ）参照）。つまり、ウエフトニードル５２が開口５４を１往復する過程において、緯糸１９がラッチニードルに引っ掛けられる。ウエフトニードル５２が開口５４を１往復すると、上記引き上げ機構によって経糸分離器６０が上下動されて、経糸群２４Ａと経糸群２４Ｂとの上下位置が入れ替えられる（図７（Ｂ）、（Ｃ）参照）。また、経糸分離器６０による上下動に連動して、上記引き上げ機構によってチェーン支持装置７０が引き上げられて、ボールチェーン１５が上側に位置する経糸群２４Ａよりも上側（上方の外側）まで移動される（図７（Ｂ）、（Ｃ）参照）。
【００４０】
そして、再びウエフトニードル５２が開口５４に挿入される。つまり、ウエフトニードル５２が開口５４へ向けて打ち込まれて、緯糸１９が開口５４に再び通される（図８（Ａ）参照）。その後、ウエフトニードル５２は引き戻されて、再び経糸群２４Ａと経糸群２４Ｂとの上下位置が入れ替えられ、ボールチェーン１５が下げられる（図８（Ｂ）参照）。
【００４１】
このような動作が行われることによって、緯糸１９が経糸１８及びボールチェーン１５に絡められる。そして、この一連の動作が経糸分離器６０及びチェーン支持装置７０の上運動及び下運動毎に繰り返し行われることによって、経糸１８、ボールチェーン１５、及び緯糸１９が一体に織り上げられて、ボールチェーン１５が一方端に織り込まれた織りテープ１０が製造される。
【００４２】
このようにニードル織機５０が構成されているため、チェーン支持装置７０によってボールチェーン１５は経糸１８と同じように織前位置５７へ向けてスムーズに送られる。また、移動角θ１が開度θ２よりも大きいため、ウエフトニードル５２が開口５４に挿入したときに、ウエフトニードル５２や緯糸１９がボール１６に干渉しない。このため、ウエフトニードル５２はボール１６に邪魔されずに円滑に開口５４内を往復動作することができる。
【００４３】
なお、上述の実施形態では、幅方向の一方端、具体的にはウエフトニードル５２が設けられている側の端部にボールチェーン１５を織り込む形態について説明したが、チェーン支持装置７０をウエフトニードル５２とは反対側にも設けることによって、図２に示されるような織りテープ１１、つまり、幅方向の両端にボールチェーン１５が織り込まれた織りテープ１１を製造することが可能である。もちろん、幅方向の端部に限られず、チェーン支持装置７０を経糸群２４の内側に配置することにより、幅方向中央よりにボールチェーン１５が織り込まれた織りテープを製造することも可能である。
【００４４】
上述した第１実施形態及び第２実施形態は本発明が具体化された単なる一例であって、本発明の実施形態は、本発明の要旨を変更しない範囲で適宜変更可能である。
【符号の説明】
【００４５】
１０，１１・・・織りテープ
１３・・・テープ本体
１５・・・ボールチェーン
１６・・・ボール
１７・・・リンク
１８・・・経糸
１９・・・緯糸
２４・・・経糸群
５０・・・ニードル織機
５２・・・ウエフトニードル
５４・・・開口
５５・・・孔
６０・・・経糸分離器
６１・・・綜絖枠
７０・・・チェーン支持装置
７１・・・フレーム
７２・・・チェーンヘルド
【図１】
2012057269.tif 000003
【図２】
2012057269.tif 000004
【図３】
2012057269.tif 000005
【図４】
2012057269.tif 000006
【図５】
2012057269.tif 000007
【図６】
2012057269.tif 000008
【図７】
2012057269.tif 000009
【図８】
2012057269.tif 000010
【図９】
2012057269.tif 000011
【図１０】
2012057269.tif 000012